(57)【要約】      （修正有）【課題】非接触で音声を流すことができ、洗面所（手洗所）の水が飛散し難い場所に設置できる、手洗い補助装置を提供する。【解決手段】手洗い補助装置１ａは、筐体２と、非接触式検知センサ３と、音声を流す音声発生部４と、を少なくとも含んでいる。また、付加的に、係止部５と、電源部６と、を含んでいる。筐体２は、非接触式検知センサ３と、音声を流す音声発生部４と、を少なくとも配置できれば、形状や大きさ等に特に制限はない。筐体２を形成する材料としては、例えば、プラスチック等、水分により腐食しにくい材料が挙げられる。【選択図】図１
0003228860.tif 000002
【実用新案登録請求の範囲】
【請求項１】
筐体と、
非接触式検知センサと、
非接触式検知センサの検知により、音声を流す音声発生部と、
を含む、手洗い補助装置。
【請求項２】
記憶部を更に含み、
記憶部には２以上の音声が記憶され、
非接触式検知センサの検知により、記憶部に記憶された音声の中から任意の音声が選択され音声発生部から音声が流れる、
請求項１に記載の手洗い補助装置。
【請求項３】
制御部を更に含み、
制御部は、音声を流す時間を任意の時間に設定できる、
請求項１または２に記載の手洗い補助装置。
【請求項４】
音声を流す時間が３０秒以上である、
請求項１〜３の何れか一項に記載の手洗い補助装置。
【請求項５】
記憶部に記憶された音声には、非接触式検知センサが検知する検知信号に対応するフラグが付けられ、
制御部は、非接触式検知センサの検知信号に応じて、対応するフラグが付けられた音声グループの中から音声を選択し、音声発生部から音声を流すように制御する、
請求項３または４に記載の手洗い補助装置。
【請求項６】
非接触式検知センサが検知する検知信号に対応するフラグが、
非検知対象物の移動方向、所定時間内に検知する検知信号の回数、および、非検知対象物の大きさ、から選択される少なくとも１つである、
請求項５に記載の手洗い補助装置。
【考案の詳細な説明】
【技術分野】
【０００１】
本考案は、手洗い補助装置に関する。
【背景技術】
【０００２】
新型コロナウイルスなど感染症予防策の一つとして、例えば、厚生労働省から正しい手洗い方法が発信されている。正しい手洗い方法の一つとして、３０秒以上の手洗いが推奨されている。
【０００３】
関連する技術として、特許文献１には、ハンドソープボトル台が開示されている。特許文献１に記載のハンドソープボトル台は、ハンドソープボトルのポンプをプッシュする度に、必要目安とされる、１５秒程度の音楽が鳴るようになっている。そのため、ユーザーが子供であっても、自然と音楽が鳴りやむまで、洗おうという気になるとの効果が記載されている。
【先行技術文献】
【特許文献】
【０００４】
【特許文献１】特開２０１１−５６２１９号公報
【考案の概要】
【考案が解決しようとする課題】
【０００５】
しかしながら、特許文献１に記載の考案は、ハンドソープボトル台であることから、使用者は、必ずハンドボトルに触れる必要がある。そのため、接触による感染を完全に防げない恐れがある。また、特許文献１に記載のハンドソープ台は、手洗所（洗面所）の手洗ボウル（洗面ボウル）の周囲、つまり、手洗いの際に水道の蛇口からの水が飛散しやすい場所に配置する必要がある。そのため、特許文献１に記載のハンドソープボトル台は、飛散した水により、故障しやすいという問題がある。
【０００６】
本考案は、上記従来技術の問題を解決するためになされた考案であり、鋭意研究を行ったところ、非接触式検知センサと、非接触式検知センサの検知により音声を流す音声発生部と、を含むことで、上記従来技術の問題を解決できることを新たに見出した。
【０００７】
すなわち、本考案の目的は、非接触で音声を流すことができ、洗面所（手洗所）の水が飛散し難い場所に設置できる、手洗い補助装置を提供することである。
【課題を解決するための手段】
【０００８】
本考案は、以下に示す、手洗い補助装置に関する。
【０００９】
（１）筐体と、
非接触式検知センサと、
非接触式検知センサの検知により、音声を流す音声発生部と、
を含む、手洗い補助装置。
（２）記憶部を更に含み、
記憶部には２以上の音声が記憶され、
非接触式検知センサの検知により、記憶部に記憶された音声の中から任意の音声が選択され音声発生部から音声が流れる、
上記（１）に記載の手洗い補助装置。
（３）制御部を更に含み、
制御部は、音声を流す時間を任意の時間に設定できる、
上記（１）または（２）に記載の手洗い補助装置。
（４）音声を流す時間が３０秒以上である、
上記（１）〜（３）の何れか一つに記載の手洗い補助装置。
（５）記憶部に記憶された音声には、非接触式検知センサが検知する検知信号に対応するフラグが付けられ、
制御部は、非接触式検知センサの検知信号に応じて、対応するフラグが付けられた音声グループの中から音声を選択し、音声発生部から音声を流すように制御する、
上記（３）または（４）に記載の手洗い補助装置。
（６）非接触式検知センサが検知する検知信号に対応するフラグが、
非検知対象物の移動方向、所定時間内に検知する検知信号の回数、および、非検知対象物の大きさ、から選択される少なくとも１つである、
上記（５）に記載の手洗い補助装置。
【考案の効果】
【００１０】
本考案により、ユーザーが手に触れることなく手洗い時間に必要な時間を認識でき、更に、洗面所（手洗所）の水が飛散し難い場所に設置可能な手洗い補助装置を提供できる。
【図面の簡単な説明】
【００１１】
【図１】図１は、実施形態における手洗い補助装置１の一例を模式的に示す概略斜視図である。
【図２】図２は、実施形態における手洗い補助装置１の変形例１を模式的に示す概略斜視図である。
【図３】図３は、実施形態における手洗い補助装置１の変形例２を模式的に示す概略斜視図である。
【図４】図４は、図３のＡ−Ａ’断面図である。
【図５】図５は、実施形態における手洗い補助装置１の変形例２の制御例を説明するための図である。
【考案を実施するための形態】
【００１２】
以下、図面を参照しつつ、実施形態における手洗い補助装置１について、詳しく説明する。なお、本明細書において、同種の機能を有する部材には、同一または類似の符号が付されている。そして、同一または類似の符号の付された部材について、繰り返しとなる説明が省略される場合がある。
【００１３】
また、図面において示す各構成の位置、大きさ、範囲などは、理解を容易とするため、実際の位置、大きさ、範囲などを表していない場合がある。このため、本出願における開示は、必ずしも、図面に開示された位置、大きさ、範囲などに限定されない。
【００１４】
（手洗い補助装置の実施形態）
図１を参照して、実施形態における手洗い補助装置１の一例について説明する。図１は、実施形態における手洗い補助装置１ａの一例を模式的に示す概略斜視図である。
【００１５】
図１に示す例において、手洗い補助装置１ａは、筐体２と、非接触式検知センサ３と、音声を流す音声発生部４と、を少なくとも含んでいる。また、図１に示す例では、任意付加的に、係止部５と、電源部６と、を含んでいる。
【００１６】
筐体２は、非接触式検知センサ３と、音声を流す音声発生部４と、を少なくとも配置できれば、形状や大きさ等に特に制限はない。筐体２を形成する材料としては、例えば、プラスチック等、水分により腐食しにくい材料が挙げられる。筐体２の第１面２１、換言すると、非接触式検知センサ３が設けられ、ユーザーに対向する面には、必要に応じて、画像２２を設けてもよい。画像２２は、筐体２の第１面２１に印刷をしてもよいし、液晶や有機ＥＬ等の表示部を設け、任意の画像を表示できるようにしてもよい。
【００１７】
非接触式検知センサ３は、非検知対象物を検知できれば特に制限はない。例えば、赤外線センサ、光電センサ等が挙げられる。例えば、ユーザーが非接触式検知センサ３の前に手をかざすことで、非接触式検知センサ３が検知信号を発信し、後述する音声発生部４から音声が流れる。
【００１８】
音声発生部４は、音声を発生できれば特に制限はない。例えば、スピーカー等が挙げられる。また、非接触式検知センサ３の検知信号に基づき音声を発生できれば、音声を保存する媒体に特に制限はない。例えば、手洗い補助装置１ａに音声発生部４に接続するＵＳＢポートを設け、ユーザーが好みの音楽を録音したＵＳＢを準備し、ＵＳＢポートに接続してもよい。或いは、ｂｌｕｅｔｏｏｔｈ（登録商標）等の通信技術を用い、検知信号に基づき手洗い補助装置１ａの外部に記憶されている音楽データを手洗い補助装置１ａに送信し、音声発生部４から音声を流してもよい。つまり、手洗い補助装置１ａ自体が、音声を記憶する記憶部を具備する必要はない。
【００１９】
代替的に、手洗い補助装置１ａが、磁気ディスク、光ディスク、フラッシュメモリ等の記憶部を具備し、検知信号に基づき、記憶部に記憶されている音楽を音声発生部４から流してもよい。記憶部に２以上の音声が記憶されている場合は、検知信号に基づき、記憶部に記憶された２以上の音声の中から任意の音声が選択され音声発生部４から音声を流してもよいし、記憶部に記憶した順番に音声を流してもよい。
【００２０】
音声は、音声発生部４から可聴音としてユーザーが聞くことができれば特に制限はない。例えば、音楽、英会話、クイズ、小話等、任意に選択すればよい。
【００２１】
音声が流れる時間は、新型コロナウイルスなど感染症予防策の一つとして例示されている３０秒以上とすることが望ましい。勿論、感染症の予防効果を高めるため、３５秒以上、４０秒以上、４５秒以上、５０秒以上等、感染症予防策として推奨されている時間より長めに設定してもよい。なお、音楽が流れる時間の上限は特に制限はないが、長すぎると飽きてしまう恐れがある。したがって、１２０秒以下、９０秒以下、６０秒以下等、適宜上限を決めればよい。音声が流れる時間は、予め設定した時間音楽が流れるようにできれば特に制限はない。例えば、音声発生部４にカウンターを設け、予め設定した時間が経過したら音声発生をストップすればよい。音声は、検知信号が発信される毎に音声の最初から流されてもよいし、前回ストップした箇所から引き続き流されてもよい。
【００２２】
係止部５は、手洗い補助装置１ａを壁等に係止するために用いられる。図１には、略Ｕ字状の係止部５を筐体２に形成した例が示されている。図１に示す手洗い補助装置１ａは、壁等に貼り付けたフックに係止部５を係止すればよい。なお、上記のとおり、係止部５は手洗い補助装置１ａにおいて任意付加的な構成である。代替的に、両面テープ等を用いて、手洗い補助装置１ａを壁等に貼り付けてもよい。
【００２３】
電源部６は、少なくとも非接触式検知センサ３および音声発生部４の電源として用いられる。電源部６は、例えば、電池等が挙げられる。なお、上記のとおり、電源部６は手洗い補助装置１ａにおいて任意付加的な構成である。代替的に、洗面所（手洗所）に配置されているコンセントを電源としてもよい。
【００２４】
ユーザーは、第１の実施形態に係る手洗い補助装置１ａを用いることで、手に触れることなく手洗い時間に必要な時間を認識でき、更に、洗面所（手洗所）の水が飛散し難い場所に設置ができるという効果を奏する。
【００２５】
（手洗い補助装置の実施形態の変形例１）
次に、図２を参照して、手洗い補助装置１の変形例１について説明する。図２は、実施形態における手洗い補助装置１の変形例１を模式的に示す概略斜視図である。変形例１では、記憶部７を必須の構成として含む点で上記の手洗い補助装置１ａと異なり、その他の点は、手洗い補助装置１ａの実施形態と同じである。したがって、変形例１では、手洗い補助装置１ａと異なる点を中心に説明し、第１の実施形態において説明済みの事項についての繰り返しとなる説明は省略する。よって、変形例１おいて明示的に説明されなかったとしても、第１の実施形態で説明済みの事項を採用可能であることは言うまでもない。後述する変形例２においても同様である。
【００２６】
変形例１では、制御部７を必須の構成として具備している。第１の実施形態に係る手洗い補助装置１では、音楽を流す時間は予め設定した時間である。一方、変形例１では、制御部７を用いることで、音声を流す時間を任意の時間に設定できる。変形例１に係る手洗い補助装置１ｂを、子供等の手洗いをしっかりと行う習慣が身についていないユーザーに用いる場合、最初は音楽を流す時間を短めに設定し、手洗いの習慣がついてきた後に、手洗いの時間を徐々に長くできる。したがって、第１の実施形態に係る手洗い補助装置１の効果に加え、変形例１では、手洗いの習慣が身についていないユーザーにとっても使いやすいという効果を奏する。
【００２７】
（手洗い補助装置の実施形態の変形例２）
次に、図３乃至図５を参照して、手洗い補助装置１の変形例２について説明する。図３は、実施形態における手洗い補助装置１の変形例２を模式的に示す概略斜視図である。図４は、図３のＡ−Ａ’断面図である。図５は、実施形態における手洗い補助装置１の変形例２の制御例を説明するための図である。
【００２８】
変形例２では、制御部７および記憶部８を必須の構成として具備している。そのため、記憶部８に記憶する音声に非接触式検知センサ３が検知する検知信号に対応するフラグを付け、非接触式検知センサ３の検知信号に応じて、対応するフラグが付けられた音声グループの中から音声を選択し、音声発生部４から音声が流れるように制御できる。以下に、検知信号とフラグの関係の一例について、より具体的に説明する。
【００２９】
（１）図３に示す例では、例えば、Ｘ方向および／またはＹ方向の手の動きを検知できるように、非接触式検知センサ３が配置されている。Ｘ方向の手の動きを検知するためには、例えば、上記赤外線センサまたは光電センサをＸ方向の少なくとも２点において手を検知できるように配置すればよい。Ｙ方向の手の動きを検知する場合は、Ｘ方向と同様に、上記赤外線センサまたは光電センサをＹ方向の少なくとも２点において手を検知できるように配置すればよい。そして、Ｘ方向の検知信号に対応するフラグを例えば「１」、Ｙ方向の検知信号に対応するフラグを例えば「２」とする。更に、例えば、音声を音楽と英会話のグループに分け、音楽にはフラグ１を付けて記憶部８に記憶し、英会話にはフラグ２を付けて記憶部８に記憶する。そして、制御部７は、例えば、非接触式検知センサ３の検知信号がＸ方向の場合はフラグ１が付けられた音楽グループの中から任意の音楽を選択し、音声発生部４から音楽を流すように制御する。検知信号がＹ方向の場合は、制御部７はフラグ２が付けられた英会話グループの中から任意の英会話を選択し、音声発生部４から英会話を流すように制御する。
【００３０】
（２）図４に示す例では、非検知対象物の大きさ、例えば、手Ｈの大きさを検知できるように非接触式検知センサ３が配置されている。手Ｈの大きさを検知するためには、Ｘ方向およびＹ方向、換言すると、非検知対象物を面として検知できるように、上記赤外線センサまたは光電センサを配置すればよい。そして、手Ｈの大きさが所定サイズ以上（図４Ａ参照）のフラグを例えば「５」、所定サイズ以下（図４Ｂ参照）のフラグを例えば「６」とする。更に、例えば、大人が好むクラシック等の音楽にはフラグ５を付け記憶部８に記憶し、子供が喜ぶアニメソング等の音楽にはフラグ６を付け記憶部８に記憶する。そして、制御部７は、非接触式検知センサ３の検知信号が所定サイズ以上あるいは以下に応じて、対応するフラグが付いた音楽の中から任意の音楽を選択し、音声発生部４から音楽を流すように制御する。
【００３１】
以上のとおり、手洗い補助装置１が、制御部７および記憶部８を具備する場合には、音声発生部４から流れる音楽の種類等を選択できる。なお、上記（１）および（２）に記載の例は、手洗い補助装置１が制御部７および記憶部８を具備する場合の単なる一例に過ぎない。非接触式センサ３が検知できる検知信号の範囲内であれば、他の種類のフラグを設定してもよいし、複数のフラグを組み合わせてもよい。
【００３２】
図５は、その他のフラグとして「所定時間内にＸ方向を複数回検知」および「所定時間内にＹ方向を複数回検知」を追加し、更に、フラグを組み合わせた例を示している。例えば、音楽グループの例では、Ｘ方向と手の大きさの両方を検知することで、音楽２（クラシック等）、音楽３（アニメソング等）を区別して流す例が示されている。なお、検知信号の判別ができない場合は、フラグを付していない音楽１が常に選択されるように制御してもよい。また、英会話グループの例では、Ｙ方向と手の大きさの両方を検知することで、例えば、子供向けの簡単な英会話１と大人向けのやや難しい英会話２および３を区別して流す例が示されている。クイズグループの場合は、手のサイズに関係なく、所定時間内に検知するＸ方向とＹ方向の検知回数に応じて、クイズの難易度を変える例が示されている。
【００３３】
本考案は上記実施形態に限定されず、本考案の技術思想の範囲内において、実施形態または各変形例は適宜変形又は変更され得ることは明らかである。また、実施形態または各変形例で用いられる種々の技術は、技術的矛盾が生じない限り、他の実施形態または他の変形例にも適用可能である。さらに、実施形態または各変形例における任意付加的な構成は、適宜省略可能である。
【産業上の利用可能性】
【００３４】
本考案の手洗い補助装置を用いると、ユーザーが手に触れることなく、手洗い時間が分かる。したがって、手洗い補助装置を設置する飲食業者、および、手洗い補助装置を製造する製造業者にとって有用である。
【符号の説明】
【００３５】
１、１ａ〜１ｃ…手洗い補助装置、２…筐体、２１…筐体の第１面、２２…画像、３…非接触式検知センサ、４…音声発生部、５…係止部、６…電源部、７…制御部、８…記憶部
【図１】
0003228860.tif 000003
【図２】
0003228860.tif 000004
【図３】
0003228860.tif 000005
【図４】
0003228860.tif 000006
【図５】
0003228860.tif 000007